(57)【特許請求の範囲】
【請求項１】
静止画撮影機能および動画撮影機能を備え、被写体を撮影してその画像データを生成し、記録媒体に記録する撮像装置において、
撮影時に、
前記記録媒体における静止画の残り容量と動画の残り容量を取得する撮影残量取得手段と、
前記撮影残量取得手段によって取得された静止画の残り容量と動画の残り容量の表示領域を残り容量全体に対する比率に応じて按分してグラフ表示するグラフ表示手段と、
を備えたことを特徴とする撮像装置。
【請求項２】
更に、前記グラフ上に表示されている前記静止画の残り容量表示領域と動画の残り容量表示領域の大きさを変更する残り容量表示変更手段と、
前記残り容量表示変更手段による静止画の残り容量表示領域と動画の残り容量表示領域の大きさの増減を元に静止画の残り容量と動画の残り容量を変更する残り容量変更手段と、
前記残り容量変更手段によって変更された静止画の残り容量と動画の残り容量の表示領域を変更後の残り容量の比率に応じて按分してグラフ表示するグラフ表示手段と、
を備えたことを特徴とする請求項１に記載の撮像装置。
【請求項３】
静止画撮影時に、静止画像を記録する毎に残り容量全体に対する前記静止画の残り容量と動画の残り容量の比率を更新する第１の比率更新手段と、動画撮影時に、動画像の撮影に応じて残り容量全体に対する前記静止動画の残り容量と動画の残り容量の比率を更新する第２の比率更新手段と、
前記第１または第２の比率更新手段によって更新された残り容量の比率に応じて静止画の残り容量と動画の残り容量の表示領域を変更してグラフ表示するグラフ表示更新手段と、
を備えたことを特徴とする請求項１または２に記載の撮像装置。
【請求項４】
静止画の残り容量または動画の残り容量の下限を固定する手段を備えたことを特徴とする請求項１乃至３のいずれか１項に記載の撮像装置。
【請求項５】
前記静止画の残り容量を元に静止画撮影可能枚数を取得する撮影可能枚数取得手段と、動画の残り容量を元に動画撮影可能時間を取得する撮影可能時間取得手段と、
前記静止画撮影可能枚数と動画撮影可能時間を前記グラフ上に表示されている前記静止画の残り容量表示領域と動画の残り容量表示領域に対応付けて文字表示する文字表示手段を備えたことを特徴とする請求項１に記載の撮像装置。
【請求項６】
前記残り容量変更手段によって変更された静止画の残り容量と動画の残り容量を元に静止画撮影可能枚数を変更する撮影可能数変更手段と、動画の残り容量を元に動画撮影可能時間を変更する撮影可能時間変更手段と、
前記撮影可能数変更手段または撮影可能時間変更手段によって変更された前記静止画撮影可能枚数および動画撮影可能時間で前記グラフ上に表示されている前記静止画の残り容量表示領域と動画の残り容量表示領域に対応付けて表示されている静止画撮影可能枚数および動画撮影可能時間を変更して表示する変更表示手段を備えたことを特徴とする請求項２に記載の撮像装置。
【請求項７】
静止画撮影時に、前記撮影可能枚数取得手段および前記撮影可能時間取得手段によって取得された撮影可能枚数および動画撮影可能時間を更新する第１の更新手段と、
動画撮影時に、記撮影可能枚数取得手段および前記撮影可能時間取得手段によって取得された撮影可能枚数および動画撮影可能時間を更新する第２の更新手段と、
前記第１または第２の更新手段によって更新された前記静止画撮影可能枚数および動画撮影可能時間で前記グラフ上に表示されている前記静止画の残り容量表示領域と動画の残り容量表示領域に対応付け表示されている静止画撮影可能枚数および動画撮影可能時間を更新して表示する更新表示手段を備えたことを特徴とする請求項３に記載の撮像装置。
【請求項８】
静止画撮影機能および動画撮影機能を備え、被写体を撮影してその画像データを生成し、記録媒体に記録する撮像装置における記録媒体の撮影容量表示方法であって、
静止画または動画の撮影時に、前記記録媒体における静止画の残り容量と動画の残り容量を取得するステップと、前記取得された静止画の残り容量と動画の残り容量の表示領域を残り容量全体に対する比率に応じて按分してグラフ表示するステップと、を含むことを特徴とする記録媒体の撮影容量表示方法。
【請求項９】
静止画撮影機能および動画撮影機能を備え、被写体を撮影してその画像データを生成し、記録媒体に記録する撮像装置における記録媒体の撮影容量表示方法であって、
静止画または動画の撮影時に、前記記録媒体における静止画の残り容量と動画の残り容量を取得するステップと、前記取得された静止画の残り容量と動画の残り容量の表示領域を残り容量全体に対する比率に応じて按分してグラフ表示するステップと、
前記グラフ上に表示されている前記静止画の残り容量表示領域と動画の残り容量表示領域の増減指示を検出するステップと、
前記静止画の残り容量表示領域と動画の残り容量表示領域の増減指示を検出したとき、該増減指示に基づいて前記静止画の残り容量と動画の残り容量を増減するステップと、
前記増減された静止画の残り容量と動画の残り容量の表示領域を増減後の残り容量の残り容量全体に対する比率に応じて按分してグラフ表示するステップと、
を備えたことを特徴とする記録媒体の撮影容量表示方法。
【請求項１０】
静止画撮影機能および動画撮影機能を備え、被写体を撮影してその画像データを生成し、記録媒体に記録する撮像装置における記録媒体の撮影容量表示方法であって、
静止画または動画の撮影時に、前記記録媒体における静止画の残り容量と動画の残り容量を取得するステップと、前記取得された静止画の残り容量と動画の残り容量の表示領域を残り容量全体に対する比率に応じて按分してグラフ表示するステップと、
静止画撮影時に、静止画像の記録に応じて前記静止画の残り容量と動画の残り容量の比率を更新するステップと、
動画撮影時に、動画像の撮影に応じて前記静止動画の残り容量と動画の残り容量の比率を更新するステップと、
前記静止画撮影時または動画撮影時に更新された静止画の残り容量と動画の残り容量の表示領域を更新後の残り容量の比率に応じて按分してグラフ表示するステップと、
を備えたことを特徴とする撮影表示方法。
【請求項１１】
前記静止画の残り容量を元に静止画撮影可能枚数を取得するステップと、動画の残り容量を元に動画撮影可能時間を取得するステップと、前記静止画撮影可能枚数と動画撮影可能時間を前記グラフ上に表示されている前記静止画の残り容量表示領域と動画の残り容量表示領域に対応付けて文字表示するステップと、を備えたことを特徴とする請求項８乃至１０のいずれか１項に記載の記録媒体の撮影容量表示方法。
【請求項１２】
静止画撮影機能および動画撮影機能を備え、被写体を撮影してその画像データを生成し、記録媒体に記録／再生する撮像装置における記録媒体の撮影容量表示方法であって、
静止画または動画の撮影時または再生時に、前記記録媒体における静止画の記録済み容量と、動画の記録済み容量と、静止画の残り容量と、動画の残り容量とを取得し、取得した静止画の残り容量と動画の残り容量の表示領域を残り容量全体に対する比率に応じて按分し、取得した静止画の記録済み容量と動画の記録済み容量の表示領域を記録済み容量全体に対する比率に応じて按分してグラフ表示するステップと、
前記静止画の記録済み容量を元に静止画撮影可能枚数および静止画記録済み枚数を取得するステップと、前記動画の記録済み容量を元に動画撮影可能時間と動画記録済み時間を取得するステップと、
前記静止画撮影可能枚数と動画撮影可能時間を前記グラフ上に表示されている前記静止画の残り容量表示領域と動画の残り容量表示領域に対応付けて文字表示するステップと、
前記静止画記録済み枚数と動画記録済み時間を前記グラフ上に表示されている前記静止画の記録済み容量表示領域と動画の記録済み容量表示領域に対応付けて文字表示するステップと、
を備えたことを特徴とする記録媒体の撮影容量表示方法。
【請求項１３】
請求項８至１２のいずれか１項に記載の記録媒体の撮影容量表示方法を撮像装置のコンピュータに実行させることを特徴とするプログラム。
【発明の詳細な説明】
【技術分野】
【０００１】
本発明は、静止画撮影機能と動画撮影機能を併せ持ったデジタルカメラ等の撮像装置における記録媒体の撮影容量（静止画の残り容量（以下、静止画撮影残量）、動画の残り容量（以下、動画撮影残量）、静止画の撮影済み容量（以下、静止画撮影量）、動画の撮影済み容量（以下、動画撮影量））の表示技術に関する。
【背景技術】
【０００２】
デジタルカメラ等の撮像装置において、静止画撮影機能と動画撮影機能を併せて備えたものや、さらに静止画像や動画像と音声とを同時に録音する音声録音機能を備えたものがある。このような撮像装置では、撮影時や再生時に、静止画および動画について各種の重要な情報を表示してユーザに知らせることが望ましい。例えば、記録媒体の残量（静止画では撮影可能な枚数）、動画では撮影可能な時間）がどれくらいあるかは撮影時にユーザにとって重要な情報である。
【０００３】
従来、画像記録用の記録媒体の全容量に対する記録媒体の残量や使用量の比率や使用量と残容量の比率を表示する電子カメラがある（例えば、特許文献１参照）。同特許文献では、メモリーカードの全容量および記録済み容量を読み取って、全容量に対する残容量と記録済み容量の比を算出し、このメモリ状態情報を表示用のモニタ装置に円グラフで表示し、再生時には円グラフ上の位置をポインタで指定することにより、その指定された位置に従ってメモリーカードから画像ファイルが検索され、該当画像ファイルの内容を再生する電子カメラが開示されている。
【０００４】
また、電子カメラにおいて、静止画、動画それぞれの残り枚数、残り時間を表示するようにしたものがある（例えば、特許文献２参照）。同特許文献では、記録媒体から残メモリ容量を読み出し、この読み出した残メモリ容量を予め設定された割合で静止画分および動画分に割り振り、この割り振り結果にしたがって静止画の記録可能枚数および動画の動画撮影可能時間をそれぞれ算出し、液晶ディスプレイに表示する電子カメラが開示されている。
【特許文献１】特開２０００−３２４３６８号公報
【特許文献２】特開２００１−６９４４２号公報
【発明の開示】
【発明が解決しようとする課題】
【０００５】
撮像装置の記録媒体の大型化に伴い、静止画と動画を個々に同じ撮像装置で撮影したり同じ撮影シーンで静止画と動画を切り替えて撮影するといった機会が増すことが予期され、このような場合に、静止画や動画の撮影残量を撮影時にユーザが容易に認識できるようにすることが必要となる。
【０００６】
上記特許文献１に開示の技術では記録媒体のメモリ全容量（全時間）に対する動画および静止画の残り容量（残り時間）の比率を表示できるが、残容量の比率や全容量中における記録可能枚数、記録可能時間の表示は絶対表示であり、静止画記録モード時には記録可能枚数および記録可能時間を、動画記録モード時には記録可能時間を表示できるが、撮影時に、メモリの残り容量（時間、枚数）全体に対する動画および静止画の残り容量（時間、枚数）の比率を表示すること、つまり、メモリの残り容量（時間、枚数）に対する動画および静止画の残り容量（時間、枚数）の相対表示を行うことができないので、ユーザは、静止画撮影時にメモリの残り容量中で動画記録用のメモリがどの程度残っているかを簡単に認識することができないし、また、動画撮影時にメモリの残り容量中で静止画記録用のメモリがどの程度残っているを視覚的に簡単に認識することができないといった課題があった。また、ユーザは、静止画撮影時に静止画撮影によって静止画と動画の残り記憶容量（時間、枚数）がどのように変化するか、動画撮影時に動画撮影によって静止画と動画の残り記憶容量（時間、枚数）がどのように変化するかを視覚的に認識できないので、撮影対象の重要性によって撮影時に静止画と動画の残容量比率を変更したくてもできないといった課題があった。
【０００７】
また、上記特許文献２に開示の技術では、記録媒体から残メモリ容量を読み出し、この読み出した残メモリ容量を予め設定された割合で静止画分および動画分に割り振り、この割り振り結果にしたがって静止画の記録可能枚数および動画の動画撮影可能時間をそれぞれ算出し、液晶ディスプレイに表示するが、枚数および時間を文字表示するだけであるため、ユーザは静止画と動画の撮影残量の割合を視覚的に把握することができず、メモリの残り容量全体中での静止画および動画の撮影残量を視覚的に簡単に認識し難いといった課題があった。
【０００８】
また、上記特許文献１と記特許文献２に開示の技術を組み合わせると、記録媒体から残メモリ容量を読み出し、この読み出した残メモリ容量を予め設定された割合で静止画分および動画分に割り振り、割り振った静止画分および動画分の残り容量を全体容量に対する比率で表示（絶対表示）したり、割り振り結果にしたがって静止画の記録可能枚数および動画の動画撮影可能時間を表示することは導くことはできるが、撮影時に残り容量全体に対する静止画分および動画分の残り容量の割合を視覚的に把握するようにはできない。
【０００９】
本発明は、上記課題を解決するためになされたものであり、静止画若しくは動画の撮影残量や撮影量静止画と動画の撮影量等を見やすく表示し得る撮像装置、記録媒体の撮影容量表示方法、及びプログラムの提供を目的とする。
【課題を解決するための手段】
【００１０】
上記課題を解決するために、請求項１に記載の発明では、静止画撮影機能および動画撮影機能を備え、被写体を撮影してその画像データを生成し、記録媒体に記録する撮像装置において、撮影時に、記録媒体における静止画の残り容量と動画の残り容量を取得する撮影残量取得手段と、撮影残量取得手段によって取得された静止画の残り容量と動画の残り容量の表示領域を残り容量全体に対する比率に応じて按分してグラフ表示するグラフ表示手段と、を備えたことを特徴とする撮像装置を提供する。  
これにより、撮影時に、すでに記録媒体に記憶されている静止画の記録済み容量と動画の記録済み容量から静止画撮影残量と動画撮影残量を得てそれらを撮影残量の全体に対する比率に応じて按分した表示領域をグラフ表示する。従って、ユーザは撮影時に残っている容量中での静止画撮影残量と動画撮影残量の割合を視覚的に把握することができ、残り容量全体の中での静止画および動画の撮影残量を簡単に把握でき、静止画なら後何枚程度、動画ならあと何分程度が撮影可能かを推測することができる。
【００１１】
また、請求項２に記載の発明では、グラフ上に表示されている静止画の残り容量表示領域と動画の残り容量表示領域の大きさを変更する残り容量表示変更手段と、残り容量表示変更手段による静止画の残り容量表示領域と動画の残り容量表示領域の大きさの増減を元に静止画の残り容量と動画の残り容量を変更する残り容量変更手段と、残り容量変更手段によって変更された静止画の残り容量と動画の残り容量の表示領域を変更後の残り容量の比率に応じて按分してグラフ表示するグラフ表示手段と、を備えたことを特徴とする請求項１または２に記載の撮像装置を提供する。  
これにより、ユーザは撮影時にグラフ表示される静止画撮影残量と動画撮影残量の比率を所望の比率に変更することができる。
【００１２】
また、請求項３に記載の発明では、静止画撮影時に、静止画像を記録する毎に残り容量全体に対する静止画の残り容量と動画の残り容量の比率を更新する第１の比率更新手段と、動画撮影時に、動画像の撮影に応じて残り容量全体に対する静止動画の残り容量と動画の残り容量の比率を更新する第２の比率更新手段と、第１または第２の比率更新手段によって更新された残り容量の比率に応じて静止画の残り容量と動画の残り容量の表示領域を変更してグラフ表示するグラフ表示更新手段と、を備えたことを特徴とする請求項１または２に記載の撮像装置を提供する。  
これにより、静止画または動画の撮影時に、静止画撮影残量と動画撮影残量を更新するとそのつど残り容量全体に対する静止画撮影残量と動画撮影残量の比率に応じてそれら撮影残量の表示領域を按分し、リアルタイムにグラフ表示することができるので、ユーザはグラフを見ながら静止画と動画の残り容量の大きさを調整できる。
【００１３】
また、請求項４に記載の発明では、静止画の残り容量または動画の残り容量の下限を固定する手段を備えたことを特徴とする請求項１乃至３のいずれか１項に記載の撮像装置を提供する。  
これにより、ユーザはグラフ表示されている静止画撮影残量と動画撮影残量の比率を限度値内でのみ変更できることから、ユーザが、動画の撮影可能残量を最大にしても下限内で静止画を撮影できるし、静止画の撮影可能残量を最大にしても下限内で動画を撮影できる。
【００１４】
また、請求項５に記載の発明では、静止画の残り容量を元に静止画撮影可能枚数を取得する撮影可能枚数取得手段と、動画の残り容量を元に動画撮影可能時間を取得する撮影可能時間取得手段と、静止画撮影可能枚数と動画撮影可能時間をグラフ上に表示されている静止画の残り容量表示領域と動画の残り容量表示領域に対応付けて文字表示する文字表示手段を備えたことを特徴とする請求項１に記載の撮像装置を提供する。  
これにより、静止画撮影残量と動画撮影残量の比率に応じた大きさで表示されている静止画撮影残量表示領域と動画撮影残量表示領域に対応付けて静止画撮影可能枚数と動画撮影可能時間を表示するので、ユーザは残り容量全体に対する静止画の残り容量と動画の残り容量をグラフ表示で視覚的に把握した上で、更に静止画撮影可能枚数および動画撮影可能時間数値的に把握することができるので残り容量と撮影枚数（時間）を関連付けて認識することができる。
【００１５】
また、請求項６に記載の発明では、残り容量変更手段によって変更された静止画の残り容量と動画の残り容量を元に静止画撮影可能枚数を変更する撮影可能数変更手段と、動画の残り容量を元に動画撮影可能時間を変更する撮影可能時間変更手段と、撮影可能数変更手段または撮影可能時間変更手段によって変更された静止画撮影可能枚数および動画撮影可能時間でグラフ上に表示されている静止画の残り容量表示領域と動画の残り容量表示領域に対応付け表示されている静止画撮影可能枚数および動画撮影可能時間を変更して表示する変更表示手段を備えたことを特徴とする請求項２に記載の撮像装置を提供する。  
これにより、ユーザが撮影時にグラフ表示される静止画撮影残量と動画撮影残量の比率を変更するとそれに応じて静止画撮影可能枚数と動画撮影可能時間が変更されるので、ユーザは比率変更時および比率変更による静止画撮影可能枚数および静止画撮影可能時間の変化を確認することができる。  
【００１６】
また、請求項７に記載の発明では、静止画撮影時に、撮影可能枚数取得手段および撮影可能時間取得手段によって取得された撮影可能枚数および動画撮影可能時間を更新する第１の更新手段と、動画撮影時に、記撮影可能枚数取得手段および撮影可能時間取得手段によって取得された撮影可能枚数および動画撮影可能時間を更新する第２の更新手段と、第１または第２の更新手段によって更新された静止画撮影可能枚数および動画撮影可能時間でグラフ上に表示されている静止画の残り容量表示領域と動画の残り容量表示領域に対応付け表示されている静止画撮影可能枚数および動画撮影可能時間を更新して表示する更新表示手段を備えたことを特徴とする請求項３に記載の撮像装置を提供する。  
これにより、静止画または動画の撮影に伴う静止画撮影残量表示領域と動画撮影残量表示領域の変化に追従して変化する静止画撮影可能枚数と動画撮影可能時間をリアルタイムに表示できる。
【００１９】
また、請求項８に記載の発明では、静止画撮影機能および動画撮影機能を備え、被写体を撮影してその画像データを生成し、記録媒体に記録する撮像装置における記録媒体の撮影容量表示方法であって、静止画または動画の撮影時に、記録媒体における静止画の残り容量と動画の残り容量を取得するステップと、取得された静止画の残り容量と動画の残り容量の表示領域を残り容量全体に対する比率に応じて按分してグラフ表示するステップと、を含むことを特徴とする記録媒体の撮影容量表示方法を提供する。
これにより、撮影時に、すでに記録媒体に記憶されている静止画記録済み容量と動画記録済み容量から静止画撮影残量と動画撮影残量を得てその残り容量全体に対する比率に応じて表示領域を按分してグラフ表示する。従って、ユーザは撮影時に残っている容量中での静止画撮影残量と動画撮影残量の割合を視覚的に把握することができ、残り容量全体の中での静止画および動画の撮影残量を簡単に把握でき、静止画なら後何枚程度、動画ならあと何分程度が撮影可能かを推測することができる。
【００２０】
また、請求項９に記載の発明では、静止画撮影機能および動画撮影機能を備え、被写体を撮影してその画像データを生成し、記録媒体に記録する撮像装置における記録媒体の撮影容量表示方法であって、静止画または動画の撮影時に、記録媒体における静止画の残り容量と動画の残り容量を取得するステップと、取得された静止画の残り容量と動画の残り容量の表示領域を残り容量全体に対する比率に応じて按分してグラフ表示するステップと、グラフ上に表示されている静止画の残り容量表示領域と動画の残り容量表示領域の増減指示を検出するステップと、静止画の残り容量表示領域と動画の残り容量表示領域の増減指示を検出したとき、該増減指示に基づいて静止画の残り容量と動画の残り容量を増減するステップと、増減された静止画の残り容量と動画の残り容量の表示領域を増減後の残り容量の比率に応じて按分してグラフ表示するステップと、を備えたことを特徴とする記録媒体の撮影容量表示方法を提供する。
これにより、ユーザが撮影時にグラフ表示さる静止画撮影残量と動画撮影残量の比率を増減するとそれに応じて静止画撮影可能枚数と動画撮影可能時間が増減されるので、ユーザは比率変更時および比率変更による静止画撮影可能枚数および静止画撮影可能時間の変化を確認しながら増減を調整することができる。
【００２１】
また、請求項１０に記載の発明では、静止画撮影機能および動画撮影機能を備え、被写体を撮影してその画像データを生成し、記録媒体に記録する撮像装置における記録媒体の撮影容量表示方法であって、静止画または動画の撮影時に、記録媒体における静止画の残り容量と動画の残り容量を取得するステップと、取得された静止画の残り容量と動画の残り容量の表示領域を残り領域全体に対する比率に応じて按分してグラフ表示するステップと、
静止画撮影時に、静止画像の記録に応じて静止画の残り容量と動画の残り容量の比率を更新するステップと、動画撮影時に、動画像の撮影に応じて静止動画の残り容量と動画の残り容量の比率を更新するステップと、静止画撮影時または動画撮影時に更新された静止画の残り容量と動画の残り容量の表示領域を更新後の残り容量の比率に応じて按分してグラフ表示するステップと、を備えたことを特徴とする撮影表示方法を提供する。
これにより、静止画または動画の撮影に伴う静止画撮影残量表示領域と動画撮影残量表示領域の変化に追従して変わる静止画撮影可能枚数と動画撮影可能時間をリアルタイムに表示できる。
【００２２】
また、請求項１１に記載の発明では、静止画の残り容量を元に静止画撮影可能枚数を取得するステップと、動画の残り容量を元に動画撮影可能時間を取得するステップと、静止画撮影可能枚数と動画撮影可能時間をグラフ上に表示されている静止画の残り容量表示領域と動画の残り容量表示領域に対応付けて文字表示するステップと、を備えたことを特徴とする請求項８乃至１０のいずれか１項に記載の記録媒体の撮影容量表示方法を提供する。
これにより、ユーザは、静止画および動画をどのくらい撮影可能かを視覚的且つ数値的で認識できる。
【００２５】
また、請求項１２に記載の発明では、静止画撮影機能および動画撮影機能を備え、被写体を撮影してその画像データを生成し、記録媒体に記録／再生する撮像装置における記録媒体の撮影容量表示方法であって、  静止画または動画の撮影時または再生時に、記録媒体における静止画の記録済み容量と、動画の記録済み容量と、静止画の残り容量と、動画の残り容量とを取得し、取得した静止画の残り容量と動画の残り容量の表示領域を残り容量全体に対する比率に応じて按分し、取得した静止画の記録済み容量と動画の記録済み容量の表示領域を記録済み容量全体に対する比率に応じて按分してグラフ表示するステップと、静止画の記録済み容量を元に静止画撮影可能枚数および静止画記録済み枚数を取得するステップと、前記動画の記録済み容量を元に動画撮影可能時間と動画記録済み時間を取得するステップと、静止画撮影可能枚数と動画撮影可能時間をグラフ上に表示されている静止画の残り容量表示領域と動画の残り容量表示領域に対応付けて文字表示するステップと、静止画記録済み枚数と動画記録済み時間をグラフ上に表示されている静止画の記録済み容量表示領域と動画の記録済み容量表示領域に対応付けて文字表示するステップと、
を備えたことを特徴とする記録媒体の撮影容量表示方法を提供する。
これにより、残り容量全体に対する静止画の残り容量と動画の残り容量の比率に応じて表示領域を按分してグラフ表示し、記録済み容量全体に対する静止画記録済み量と動画記録済み量の比率に応じて表示領域を按分してグラフ表示するので、ユーザは静止画撮影残量と動画撮影残残量および静止画の記録済み容量と動画の記録済み容量や静止画記撮影可能枚数と動画撮影可能時間や静止画記録済み枚数と動画撮影可能時間が把握できる。
【００２６】
また、請求項１３に記載の発明では、請求項８至１２のいずれか１項に記載の記録媒体の撮影容量表示方法を撮像装置のコンピュータに実行させることを特徴とするプログラムを提供する。
これにより、撮像装置は、静止画または動画の撮影時、または再生時に、記録媒体に記憶されている静止画記録済み容量と動画記録済み容量から静止画の残り容量と動画の残り容量を得て残り容量全体に対する比率に応じて表示領域を按分してグラフ表示できるのでユーザは静止画撮影残量と動画撮影残量の割合を視覚的に把握することができ、全体としての静止画および動画の撮影残量を簡単に把握できる。また、静止画撮影可能枚数と動画撮影可能枚数をグラフに比率表示されている静止画撮影残量と動画撮影残量に対応付けて表示することもできるので、ユーザは撮影時または再生時に静止画撮影可能枚数と動画撮影可能枚数を知ることもできる。
【発明の効果】
【００２７】
本発明によれば、静止画撮影残量と動画撮影残量の表示領域の比率を撮影残量全体に対する比率に応じて按分してグラフ表示するので、撮影時または再生時に静止画撮影残量と動画撮影残量の割合を視覚的に把握することができ、全体としての静止画および動画の撮影残量を簡単に把握できる。
【発明を実施するための最良の形態】
【００２８】
（実施形態１）  
図１は本発明の撮像装置の一実施例としてのデジタルムービーカメラの外観を示す斜視図であり、図１（ａ）は斜視図、図１（ｂ）は操作ボタン（キー）の配置例を示す図である。  
図１（ａ）で符号１０は静止画撮影機能と動画撮影機能を備えたデジタルムービーカメラ１００の本体部、符号１はレンズ鏡筒部、符号５はホルダ、符号１５は音声入力用のマイクロフォン、符号１１１は撮影レンズを示す。レンズ鏡筒部１は、光学ズーム機能付きの撮影レンズ群等の光学系などを収めたものであり、レンズ鏡筒部１の後端に配置された撮像素子の受光面に被写体の像を結像させるものである。
【００２９】
カメラ本体部１０の上面には操作ボタン、例えば、図１（ｂ）に示すような動画用ズームキー３１、静止画用ズームキー３２、動画・録画開始／停止ボタン３３、静止画撮影シャッターボタン３４、静止画撮影終了ボタン３５、カーソルキー３６、及びその他図示しない各種機能ボタン等が配設されている。
【００３０】
また、カメラ本体部１０の右側面（図１（ａ）では裏面）には図示されていないが本体部１０の前側部の辺と蝶番部材で扉状に開閉可能に接続され、且つ電気的にも接続された液晶表示画面が設けられており、本体部１０に対し閉状態では液晶表示画面を内側にして背部に密着して本体部１０と一体となり、開状態では本体部１０に対して例えば約９０°の角度まで開くことができる。従って、撮影者は、撮影時に表示される動画や動画撮影中に撮影された静止画のプレビュー画像や動画とは異なる構図の静止画を見たり、再生時に表示される再生画像を見ることができる。また、本体部の背部又は底部には電源電池を収納する電池収納部や外部機器とのデータ授受のための端子部（例えば、ＵＳＢ端子部）や電池充電用端子や三脚固定用のネジ穴等（図示せず）が設けられている。
【００３１】
図２は、デジタルムービーカメラ１００の概念的な機能ブロック図である。このブロック図では、図２（ａ）に示すように、便宜的に、撮像部１１、静止画像処理部１２、動画映像処理部１３、画像サイズ設定部１４、マイクロフォン（音声入力装置）１５、音声処理部１６、ストリーミング部１７、制御部２０、操作部３０、表示部４０、表示制御部４１、音声出力部１８、及び画像記録部１９などの各機能ブロックに分けられている。
【００３２】
撮像部１１は、図２（ｂ）に示すように、光学系駆動モータ１１−１、光学ズーム機能付きの撮影レンズ群１１−２、ＣＣＤ或いはＣＭＯＳ等の撮像素子１１−３、タイミング発生器（ＴＧ）１１−４、垂直ドライバ１１−５、サンプルホールド回路（Ｓ／Ｈ）１１−６、Ａ／Ｄ変換器１１−７、及びメカニカルシャッター機構などを含む。なお、撮像素子１１−３は、タイミング発生器１１−４、垂直ドライバ１１−５、サンプルホールド回路１１−６及びＡ／Ｄ変換器１１−７などの付帯回路により、制御部２０からの制御信号に基づいてシャッター速度や露出値などを可変的に設定するとともに、前段のレンズ群１１−２を介して結像した画像を設定値に対応した電気信号に変換し、その電気信号をＡ／Ｄ変換器１１−７でデジタル信号に変換して一定の周期で静止画像処理部１２及び／又は動画映像処理部１３に出力する。ＣＣＤ１１−３は被写体の二次元画像を撮像する固体撮像デバイスであり、典型的には毎秒数十フレームの画像を撮像する。
【００３３】
静止画像処理部１２は、図２（ｃ）に示すように、カラープロセス回路１２−１、画像符号化部１２−２、及びＤＭＡコントローラ１２−３等の回路からなり、カラープロセス回路１２−１で撮像部１１から入力されたデジタル信号を受けてＣＣＤ１１−３の画素に対応したベイヤーベースの形で一旦保持し、それを保管してＲＧＢデータを作成し、輝度成分（Ｙ）と色成分（Ｃｒ、Ｃｂ）の信号成分に分離し、制御部２０からの制御信号に基づいてその信号成分にホワイトバランス補正を施した後、画像符号化部１２−２（図６参照）で画像符号化処理を行って画像サイズ設定部１４により設定されたビットレート（高画質（＝高解像度用）のビットレート）又は低画質（＝低解像度）用のビットレート）の画質の静止画像データとした後、ＤＭＡ（Direct Memory Access）コントローラ１２−３によりその画像データをワークメモリ２０−４に転送し、一時的に記憶すると共に静止画像データの画素を間引いてスルー画像データとして表示制御部４１を介して表示部４０に送る。また、シャッター操作がされるとその時点の画像データを表示部４０に送ってプレビュー画像として静止画表示させる。
【００３４】
また、静止画像処理部１２は図示しないが保存記録の際にはワークメモリ２０−４に書き込まれている画像データを読み出して、ＪＰＥＧ圧縮処理を施して画像記録部１９を介して記録媒体（保存メモリ）５０に保存記録し、再生時には記録媒体５０に保存記録されていた圧縮画像データに伸張処理を施して画像データを再生する圧縮伸張部を備えている。
【００３５】
また、上記圧縮伸張部は複数の圧縮率に対応しており、圧縮率に対応させて記憶するモードには圧縮率の低い高解像度（一般に、高精密、ファイン、ノーマルなどと呼ばれる）に対応するモードと圧縮率の高い低解像度（一般にエコノミーなどと呼ばれる）に対応するモードがある。また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる画像サイズがある。
【００３６】
動画映像処理部１３は、図２（ｄ）に示すように、カラープロセス回路１３−１、画像符号化部１３−２、及びＤＭＡコントローラ１３−３等の回路からなり、カラープロセス回路１３−１で撮像部１１から入力されたデジタル信号を輝度成分（Ｙ）と色成分（Ｃｒ、Ｃｂ）の信号成分に分離し、制御部２０からの制御信号に基づいてホワイトバランス補正を施した後、画像符号化部１３−２（図６参照）で画像符号化処理を行って画像サイズ設定部１４により設定されたビットレート（高画質（＝高解像度）用のビットレート又は低画質（＝低解像度）用のビットレート）の画質の動画像データとした後、ＤＭＡコントローラ１３−３によりその動画像データをストリーミング部１７に出力すると共に表示制御部４１を介して表示部４０に送る。
【００３７】
動画映像処理部１３は図示しないが、撮影時には取り込まれる動画データの静止画１コマを圧縮して画像記録部１９を介して記録媒体５０に保存記録する動作を動画撮影終了指示があるか、静止画撮影モードに切り替えられるまで繰り返すいわゆるストリーミング処理を行い、再生時には記録媒体５０に保存記録されている圧縮画像データを順次読み出して伸張処理を施して画像データを再生する圧縮伸張部を備えている。なお、圧縮処理部を撮影時に取り込まれる動画データ（静止画像）を順次圧縮してワークメモリ２０−４に書き込む動作を動画撮影終了指示があるまで繰り返し、動画撮影終了指示があるとワークメモリ２０−４に書き込まれている圧縮画像データ（動画像圧縮データ）を読み出して画像記録部１９を介して記録媒体５０に保存記録し、再生時には記録媒体５０に保存記録されている圧縮画像データを順次読み出して伸張処理を施して画像データを再生するように構成してもよい。また、撮影時に取り込まれる動画データ（静止画像）を順次ワークメモリ２０−４に書き込み、動画撮影終了指示があると一括して圧縮処理を施して画像記録部１９に保存記録し、再生時には画像記録部１９に保存記録されていた圧縮画像データに伸張処理を施して画像データを再生するように構成してもよい。
【００３８】
また、上記圧縮伸張部は複数の圧縮率に対応しており、圧縮率に対応させて記憶するモードは圧縮率の低い高解像度に対応するモードと圧縮率の高い低解像度に対応するモードがある。なお、圧縮伸縮部は静止画像処理部１２の画像符号化部１２−２および動画映像処理部１３の画像符号化部１３−２として用いることもできる。
【００３９】
画像サイズ設定部１４は、制御部２０からのビットレート設定変更指示があると、静止画像処理部１２の画像符号化部１２−２にビットレートを設定する。また、同様に、制御部２０からのビットレート設定変更指示により、動画映像処理部１３の画像符号化部１３−２にビットレートを設定する。なお、本実施形態では、説明上、静止画のビットレートの初期値は画像サイズの初期値（例えば（６４０×４８０））に対応する値とし、動画のビットレートは画像サイズの初期値（例えば（３２０×２４０））に対応する値とするがこれらの値に限定されない。
【００４０】
マイクロフォン（音響入力装置）１５は音声を入力して電気信号に変換して音声処理部１６に出力する。音声処理部１６は図示しないが音声ＩＣ及び音声符号化部を含みマイクロフォン１５からの電気信号（アナログ音声信号）をデジタル信号（デジタルデータ）に変換し、逐次ストリーミング部１７に出力する。
【００４１】
ストリーミング部１７は、動画撮影時に音声を録音する場合には、動画映像処理部１３から送られる動画像データと音声処理部１６から送られる音声データを受信しながら同時にその動画像データを表示制御部４１に送って表示部４０で再生表示させると共に音声データを音声出力部１８に送って再生出力させる。また、ＣＰＵ２０−１の制御により動画像データをワークメモリ２０−４に一時的に出力する。
【００４２】
図３は制御部２０の構成例を示すブロック図であり、制御部２０は、図３にそのブロック図を示すように、ＣＰＵ（Central Processing Unit）２０−１を備えると共に、このＣＰＵ２０−１に、バス２０−２を介して、プログラムメモリ（例えば、ＲＯＭ）２０−３、ワークメモリ（例えば、ＤＲＡＭ）２０−４、データメモリ（例えば、ＲＡＭ）２０−５、入力部２０−７及び出力部２０−８、タイマ２０−６などを接続して構成されている。
【００４３】
ＣＰＵ（若しくはＭＰＵ（以下、ＣＰＵ））２０−１は、このデジタルカメラ１全体の制御動作を司るものであり、プログラムメモリ２０−３に格納された所定の制御プログラムを実行することにより、入力部２０−７からのデータの取り込み、例えば、静止画像処理部１２からの静止画像データ、ストリーミング部１７からの動画像データ及び音声データ、操作部３０からの各種キーの状態信号、画像記録部１９からの圧縮画像データなどの取り込みや、出力部２０−８へのデータの書き出し、撮像部１１へのシャッター速度や露出設定値の制御信号、静止画像処理部１２及び／又は動画映像処理部１３へのホワイトバランス補正制御信号、表示制御部４１への表示用信号、画像サイズ設定部１４へのビットレート設定変更指示、画像記録部１９への記録用画像データ（圧縮画像データ）、撮影残量等の算出および表示等を行う。
【００４４】
また、メニュー処理を実行したときには、そのメニュー処理で選択された各種設定値をワークメモリ２０−４に不揮発的（電源をオフにしても情報を失わないこと）に書き込むなどして、デジタルムービーカメラ１００の全体動作を制御する。
【００４５】
操作部３０は、カメラ本体部１０に設けられた各種操作部ボタン、つまり、図１（ｂ）に示したような動画用ズームキー３１、静止画用ズームキー３２、動画・録画開始／停止ボタン３３、静止画撮影シャッターボタン３４、静止画撮影終了ボタン３５、カーソル３６、及びその他各種機能ボタン等の操作に対応した状態信号を制御部２０に送出する。
【００４６】
表示制御部４１は、静止画像処理部１２または動画像処理部１３から出力されたスルー画像（撮影待機画像）やプレビュー画像、静止画像、動画像又は各種設定画面などの表示信号を表示部４０の表示形式に変換して表示部４０に出力し、液晶表示画面に表示させる。音声出力部１８はスピーカー等の音声再生装置からなり、受け取った音声信号を再生して外部に出力する。
【００４７】
画像記録部１９は、撮影画像（キャプチャ画像ともいう）データを不揮発的な記録媒体５０にアクセス（書き込み／読み出し）するように構成されている。不揮発的な記録媒体５０としては、たとえば、フラッシュメモリ等の半導体記憶デバイスや磁気メモリデバイスなどを用いることができる。なお、画像記録部１９は、例えば、メモリーカードのような取り外し可能な記録媒体を実装・アクセス可能に構成されていてもよい。
【００４８】
図４は本実施形態に係わる記録媒体の撮影容量表示方法の一実施例を示す図であり、符号４は液晶表示画面、符号９はスルー画像、符号４２は記録サイズ、符号４３は撮影残量表示グラフであり、撮影残量表示グラフは静止画撮影残量表示領域４４と動画撮影残量表示領域４５からなる。符号４６は静止画撮影残量表示領域４４と動画撮影残量表示領域４５の仕切（境界）、符号４７は操作可能なカーソルを意味し、図示の例では右カーソル（＞）および左カーソル（＜）操作が可能であることを意味する。また、図示の例では撮影残量表示グラフ４３を横バー表示として見やすくしているが、グラフ表示方法は横バー表示に限定されない。
【００４９】
なお、図４（ａ）の例では静止画撮影残量表示領域４４と動画撮影残量表示領域４５の幅を同一にしたが、図４（ｂ）に示すように、静止画撮影残量と動画撮影残量に対応する各残量の比率に応じて静止画撮影残量表示領域４４と動画撮影残量表示領域４５を按分し、自動的に変更するようにしてもよい。さらに静止画撮影残量表示領域４４と動画撮影残量表示領域４５の表示色を異なるようにしてもよい。
【００５０】
また、カーソル操作により仕切４６を左右に移動させて撮影残量表示グラフ４３の静止画撮影残量表示領域４４と動画撮影残量表示領域４５の幅（比率）を変更可能とし、変更後の表示領域の比率に応じて静止画撮影残量と動画撮影残量を変更するようにしてもよい。
【００５１】
また、静止画撮影残量表示領域４４と動画撮影残量表示領域４５には図４に示すように静止画撮影可能枚数や動画撮影可能時間を文字表示してもよいし、静止画撮影残量表示領域４４と動画撮影残量表示領域４５には静止画撮影可能枚数や動画撮影可能時間を文字表示せず、撮影残量表示グラフ４３の静止画撮影残量表示領域４４と動画撮影残量表示領域４５の大きさの占める割合で示すようにしてもよいし、若しくは、静止画撮影残量表示領域４４と動画撮影残量表示領域４５の大きさを静止画撮影残量と動画撮影残量撮影残量に比例させた撮影残量表示グラフを表示するようにしてもよい。
【００５２】
図５は記録媒体５０の領域使用状態の説明図であり、符号５１は記録媒体５０に割り当てられた各領域の種類やメモリ容量等を管理する情報や各領域に記録された画像ファイル等の管理情報を記録した管理ファイルを記憶する管理領域を示す。符号５２は静止画記録領域を示し、静止画記録領域５２は撮影された静止画像データ（静止画像ファイル）を記録する静止画記憶済み領域５２−１と静止画用空き領域５２−２からなる。符号５３は動画記録領域を示し、動画記録領域５３は撮影された各動画ファイル（音声を録音した場合は音声データも含む）を記録する動画記憶済み領域５３−１と動画用空き領域５３−２からなる。静止画または動画（ファイル）の記録時には管理領域５１に格納されている管理ファイル（図示せず）に記録されている静止画記録済み領域５２−１と動画記録済み領域５３−１のメモリ容量が更新される。
【００５３】
静止画用空きメモリ容量Ｚ１、つまり、静止画用空き領域５２−２の大きさＺ１は静止画記録領域５２の大きさをＹ１、静止画記憶済み領域５２−１の大きさ（静止画記憶済みメモリ容量）をＸ１とするとき、Ｚ１＝Ｙ１−Ｘ１となる。また、動画用空きメモリ容量Ｚ２、つまり、動画用空き領域５３−２の大きさＺ２は動画記録領域の大きさをＹ２、動画記憶済み領域５３−１の大きさ（動画憶済みメモリ容量）をＸ２とするとき、Ｚ２＝Ｙ２−Ｘ２となるが、以下の説明では、Ｚ１＝Ｚ２、つまり、撮影開始前の静止画用空き領域５２−２の大きさと動画用空き領域５３−２の大きさを等しくとるものとして説明する。このようにすれば、静止画用空き領域と動画用空き領域を区別することなく静止画記録領域５２と動画記録領域５３の空いている領域を静止画および動画撮影用として用いやすい。
【００５４】
ここで、静止画と動画の空きメモリ容量の和をＺとするとＺ＝Ｚ１＋Ｚ２、静止画用空きメモリ容量（静止画の残り容量）Ｚ１の空きメモリリ容量全体（残り容量全体）に占める比率ＲＺ１＝Ｚ１／Ｚ、動画用空きメモリ容量（動画の残り容量）Ｚ２の空きメモリ容量全体（残り容量全体）に占める比率ＲＺ２＝Ｚ２／Ｚとなる。
【００５５】
また、図４に示した静止画撮影残量部分４４に表示される静止画撮影可能枚数ＰＱは撮影する静止画の記録サイズをＧ１とするとＰＱ＝Ｚ１／Ｇ１（図４（ａ）の例ではＰＱ＝６０枚）となり、図４に示した動画撮影残量表示領域４５に表示される動画撮影可能時間ＰＭは１秒間あたりの撮影コマ数をＫとし、記録サイズ（本実施形態では一定（例えば３２０×２４０ピクセル））をＧ２とすると、ＰＭ＝Ｚ２／Ｇ２×Ｋ（図４（ａ）の例ではＸ２＝０、ＰＭ＝１００秒）となる。
【００５６】
図６は本実施形態における撮影モード時のデジタルムービーカメラ１００の動作例を示すフローチャートである。以下に示す処理は基本的に制御部２０が予めフラッシュメモリ等のプログラム格納メモリに記憶したプログラムに従って実行する例で説明するが、全ての機能をプログラムメモリに格納する必要はなく、必要に応じて、その一部若しくは全部をネットワークを介して受信して実現するようにしてもよい。以下、図１〜図６に基いて説明する。  
なお、本実施形態ではデジタルムービーカメラ１００は撮影状態（スルー表示）から静止画と動画をどちらも撮影可能なカメラであり、動画・録画開始／停止ボタン３３が押されると動画撮影を開始し、取り込まれる動画データの静止画１コマを圧縮して画像記録部１９を介して記録媒体５０に保存記録する動作を動画撮影終了ボタン３５が押されるまで繰り返すものとする。また、再び、動画・録画開始／停止ボタン３３が押されると動画撮影を停止するものとする。  
静止画撮影モードでは静止画撮影シャッターキー３４の「半押し」状態で動画・録画開始／停止ボタン３３をロックすると共にＡＦ動作を実行して合焦状態と露出状態をロックし、その後の第２段階のストローク操作、つまり、静止画撮影シャッターキー３４の「全押し」状態でロックした合焦状態及び露出状態による撮影を行い、静止画終了ボタン３５を押すと静止画撮影を終了し、動画撮影可能状態とする（つまり、動画・録画開始／停止ボタン３３のロックを解除する）ものとする。
【００５７】
図６で撮影モードが選択されると、ＣＰＵ２０−１は撮影モード用の各初期値を設定すると共に（ステップＳ１）、記録媒体５０の管理領域５１に記録されている管理ファイルを調べ、静止画記録領域５２のメモリ容量（メモリサイズ）Ｙ１、記録済み静止画領域５２−１のメモリ容量Ｘ１、動画記録領域５２のメモリ容量Ｙ２、動画記録済み領域５２−１のメモリ容量Ｘ２を読み出してワークメモリ２０−４に保持（一時記憶）する（ステップＳ２）。
【００５８】
次に、ＣＰＵ２０−１は、初期設定された記録サイズの値（例えば、ＶＧＡ（６４０×４８０ピクセル））を表示制御部４１を介して表示部４０に送って液晶表示画面に表示させ、さらに、所定の大きさの撮影残量表示グラフ４３（図４参照）を表示する。撮影残量表示グラフ４３は図４に示したように静止画撮影残量表示領域４４と動画撮影残量表示領域４５からなり、それぞれの表示領域の大きさは記録サイズ５０の中の静止画と動画の空きメモリの和（つまり、残り容量全体）に占める静止画用空き領域５２−２と動画用空き領域５３−２の比率に応じて決定される。また、静止画撮影残量表示領域４４と動画撮影残量表示領域４５の表示色は異なるようにすることが望ましい。さらに、静止画撮影残量表示領域４４に対応付けて静止画撮影可能枚数を表示し、動画撮影残量表示領域４５に対応付けて動画撮影可能時間（秒）を表示することもできる。本ステップにおける撮影残量表示グラフ表示動作の詳細を図７に示す（ステップＳ３）。
【００５９】
次に、ＣＰＵ２０−１は撮影モード下で選択可能なメニュー（図示せず）を表示制御部４１を介して表示部４０に送って液晶表示画面に表示させ、ユーザに選択を促してから操作部３０からの信号を調べ、ユーザがカーソルキー３６を操作（以下、カーソル操作）して静止画の記録サイズ選択メニューを選択した場合はステップＳ５に進み、選択しない場合はステップＳ７に進む（ステップＳ４）。
【００６０】
ＣＰＵ２０−１は選択可能な記録画素数（例えば、ＳＸＧＡ（１６００×１２００）、ＸＧＡ（１０２４×７８６）、ＳＶＧＡ（８００×６００）、ＶＧＡ（６４０×４８０）ＱＶＧＡ（３２０×２４０）を表示制御部４１を介して表示部４０に送って液晶表示画面に表示させ、ユーザの選択を促す。ユーザが所望の記録画素数をカーソル操作により選択すると、制御部２２は選択された記録画素数を記録サイズとして設定（ＲＡＭ等のメモリに確保される設定エリア８０（図示せず）に格納）すると共に画像サイズ設定部１４に選択された記録画素数を画像サイズとして画像サイズ設定部１４に送り、静止画用のビットレートを変更させ、ステップＳ４に進む（ステップＳ５）。
【００６１】
ＣＰＵ２０−１は、選択された記録サイズの値を表示部４０に送って液晶表示画面に表示させると共に記録サイズ選択後の撮影残量表示グラフを表示させる。本ステップにおける撮影残量表示グラフ表示動作の詳細を図７に示す（ステップＳ６）。
【００６２】
ＣＰＵ２０−４は静止画撮影残量（枚数）ＰＱを静止画残り枚数カウンタＱＣに、動画撮影残量（時間（秒））ＰＭを動画残り時間カウンタＭＣに代入する（ステップＳ７）。
【００６３】
ＣＰＵ２０−１は撮像部１１および静止画像処理部１２を経由して取り込まれた静止画像データをワークメモリ２０−４（図３参照）に取り込むと共に画素を間引いたスルー画像を生成して表示部４０に送り、液晶表示画面に表示されている記録サイズおよび撮影残量表示グラフと共に表示させる（ステップＳ８）。
【００６４】
ＣＰＵ２０−１は操作部３０からの信号を調べ、静止画撮影シャッターボタン３４が半押しされた場合はステップＳ１０に進んで静止画撮影および撮影残量表示動作（図８参照）を行ない、動画・録画／停止ボタン３４が押された場合はステップＳ１１に進んで動画撮影および撮影残量表示動作（図１０参照）を行なう。また、静止画撮影シャッターボタン３４が半押しされないか動画・録画／停止ボタン３３がされない場合はステップＳ８に戻る（ステップＳ９）。
【００６５】
静止画撮影シャッターボタン３４が半押しされると、デジタルムービーカメラ１００は、図８に示すような静止画撮影動作や、静止画撮影残量および動画撮影残量のグラフ表示等を行い、ステップＳ８に戻る。本ステップにより、撮影残量表示グラフ４３（図４）の仕切４６は静止画を１枚記録する毎に図４（ｂ）の例に示すように左方に移動する（ステップＳ１０）。
【００６６】
動画撮影・録画開始／停止ボタン３３が半押しされると、デジタルムービーカメラ１００は、図１０に示すような動画撮影動作や静止画撮影残量および動画撮影残量のグラフ表示等を行い、ステップＳ８に戻る。本ステップにより、撮影残量表示グラフ４３（図４）の仕切４６は１秒毎に右方に移動する（ステップＳ１１）。
【００６７】
上記図６のフローチャートに示した動作により、デジタルムービーカメラ１００は撮影時に静止画撮影残量と動画撮影残量の撮影残量全体に対する比率に応じて表示領域を按分してバーグラフ表示するのでユーザは撮影開始前に静止画撮影残量と動画撮影残量の割合を視覚的に把握することができ、全体としての静止画および動画の撮影残量を簡単に把握できる。また、撮影時に、静止画撮影残量表示領域と動画撮影残量表示領域に対応付けて静止画撮影可能枚数と動画撮影可能時間（秒）を表示できるので、ユーザは静止画撮影可能枚数および動画撮影可能時間を数値的に把握することができる。
【００６８】
また、ユーザが静止画撮影可能枚数および動画撮影可能時間を見ながら記録サイズを変更して静止画撮影可能枚数および動画撮影可能時間を増減させることもできる。  
更に、静止画若しくは動画を撮影すると静止画撮影残量と動画撮影残量の比率に応じて表示領域をリアルタイムに按分してグラフ表示すると共に静止画撮影可能枚数および動画撮影可能時間をリアルタイムに表示するので、ユーザは撮影可能な残り枚数や残り時間を容易に知ることができる。
【００６９】
図７は撮影残量表示グラフの表示動作例を示すフローチャートであり、図６のステップＳ３、Ｓ６の詳細な動作例を示すフローチャートである。  
ＣＰＵ２０−１は、図６のステップＳ２でワークメモリに保持した静止画記録領域５２のメモリ容量Ｙ１、記録済み静止画領域５２−１のメモリ容量Ｘ１、動画記録領域５２のメモリ容量Ｙ２、動画記録済み領域５２−１のメモリ容量Ｘ２を元に静止画用空きメモリ容量および動画用空きメモリ容量を算出し、ワークメモリ２０−４に保持する。静止画用空きメモリ容量Ｚ１および動画用空きメモリ容量Ｚ２を前述したようにとるとする、Ｚ１＝Ｚ２＝｛Ｙ１−（Ｘ１＋Ｘ２）｝／２として算出できる（ステップＴ１）。
【００７０】
ＣＰＵ２０−１は、静止画用空きメモリ容量Ｚ１の静止画と動画の空きメモリ容量の和Ｚに占める比率ＲＺ１および動画用空きメモリ容量Ｚ２の静止画と動画の空きメモリ容量の和に占める比率ＲＺ２を算出する。比率ＲＺ１、ＲＺ２は、ＲＺ１＝Ｚ１／Ｚ＝Ｚ１／（Ｚ１＋Ｚ２）、ＲＺ２＝Ｚ２／Ｚ＝Ｚ２／（Ｚ１＋Ｚ２）となるが、Ｚ１＝Ｚ２であるからＲＺ１：ＲＺ２＝１：１となる（ステップＴ２）。
【００７１】
次に、ＣＰＵ２０−１は、上記ステップＴ２で算出した比率ＲＺ１、ＲＺ２を基に静止画撮影残量表示領域４４の幅Ｗ１と動画撮影残量表示領域４５の幅Ｗ２を算出する。幅Ｗ１とＷ２は撮影残量表示グラフ４３（図４）の幅をＷとすると、Ｗ１＝Ｗ×ＲＺ１、Ｗ２＝Ｗ×ＲＺ２となるが、ＲＺ１＝ＲＺ２であるからＷ１＝Ｗ２、つまり、撮影開始に表示される静止画撮影残量表示領域４４の幅Ｗ１と動画撮影残量表示領域４５の幅Ｗ２は撮影残量表示グラフの幅Ｗの二分の一ずつとなる。（ステップＴ３）
【００７２】
ＣＰＵ２０−１は、図６のステップＳ１で設定された記録サイズの初期値（ステップＳ３の動作の場合）若しくはステップＳ５で選択・設定された記録サイズ（ステップＳ６の動作の場合）と、上記ステップＴ３で算出した静止画撮影残量表示領域４４の幅Ｗ１と動画撮影残量表示領域４５の幅Ｗ２の値を表示制御部４１を介して表示部４０に送り、記録サイズを液晶表示画面に表示させると共に幅Ｗ１の静止画撮影残量表示領域４４と幅Ｗ２の動画撮影残量表示領域４５からなる横バー形状の撮影残量表示グラフ４３（図４）を表示させる。なお、この際、静止画撮影残量表示領域４４と動画撮影残量表示領域４５の表示色は互いに異なるようにする（ステップＴ４）。
【００７３】
次に、ＣＰＵ２０−１は、図６のステップＳ１で設定された静止画の記録サイズの初期値（ステップＳ３の動作の場合）若しくはステップＳ５で選択・設定された記録サイズ（ステップＳ６の動作の場合）を基に、静止画撮影可能枚数ＰＱと動画撮影可能時間（秒）ＰＭを算出する。静止画撮影可能枚数ＰＱは撮影する上記静止画記録サイズをＧ１とするとＰＱ＝Ｚ１／Ｇ１（図４（ａ）の例ではＰＱ＝６０枚）として算出できる。また、動画撮影可能時間ＰＭは１秒間あたりの撮影コマ数をＫとし、動画データの記録サイズ（本実施形態では一定（例えば３２０×２４０ピクセル））をＧ２とすると、ＰＭ＝Ｚ２／（Ｇ２×Ｋ）（図４（ａ）の例ではＸ２＝０、ＰＭ＝１００秒）として計算できる（ステップＴ５）。
【００７４】
ＣＰＵ２０−１は上記ステップＴ５で算出した静止画撮影可能枚数ＰＱと動画撮影可能時間（秒）ＰＭを表示制御部４１を介して表示部４０に送り、液晶表示画面に表示されている静止画撮影残量表示領域４４と動画撮影残量表示領域４５に対応付けて文字（数字）表示させる。静止画撮影可能枚数ＰＱと動画撮影可能時間（秒）ＰＭは図４に示したようにそれぞれ静止画撮影残量表示領域４４と動画撮影残量表示領域４５の枠内に表示してもよいが、枠外（例えば、静止画撮影残量表示領域４４と動画撮影残量表示領域４５の上側若しくは下側）に表示するようにしてもよい。なお、本ステップは省略してもよい（ステップＴ６）。
【００７５】
上記図７のフローチャートに示した動作により、デジタルムービーカメラ１００は撮影開始前に撮影残量全体に対する静止画撮影残量と動画撮影残量の比率に応じて表示領域を按分してグラフ表示することができる。また、静止画撮影残量表示領域と動画撮影残量表示領域に対応付けて静止画撮影可能枚数と動画撮影可能時間（秒）を表示できる。
【００７６】
図８は図６のステップＳ１０の静止画撮影動作および撮影残量表示動作の詳細を示すフローチャートである。  
図６のステップＳ９で静止画撮影シャッターボタン３４が半押しされると、ＣＰＵ２０−１は静止画残り枚数カウンタＱＣの値が１以上か否かを調べ、１以上でない場合はステップＳ１０−２に進み、１以上の場合はステップＳ１０−３に進む（ステップＳ１０−１）。
【００７７】
静止画残り枚数カウンタＱＣの値＜１の場合は、静止画撮影シャッターボタン３４をロックすると共に、静止画撮影を禁止する旨のメッセージ（例えば、「静止画記録用のメモリが一杯です。静止画撮影はできません！」）を表示部４０に送って液晶表示画面に表示させ、図６のステップＳ８に戻る（ステップＳ１０−２）。
【００７８】
静止画残り枚数カウンタＱＣの値≧１の場合は、ＣＰＵ２０−１は動画・録画開始／停止ボタン３３をロックしてＡＦ処理を実行させ、ＡＦ動作が終了すると合焦状態と露出状態をロックする。なお、ＡＦ動作実行中もスルー画像は表示される（ステップＳ１０−３）。
【００７９】
その後の第２段階のストローク操作、つまり、静止画撮影シャッターキー３４の「全押し」状態でロックした合焦状態及び露出状態による撮影を行ない、静止画撮影シャッターキー３４の「全押し」時に取り込まれていた静止画像データを圧縮処理して記憶媒体の静止画記録領域５２に追加記録する。また、この際、管理領域５１に格納されている管理ファイル（図示せず）に記録されている静止画記録済み領域５２−１のメモリ容量を更新する（ステップＳ１０−４）。
【００８０】
ＣＰＵ２０−１は静止画残り枚数カウンタＱＣから１を引いた後（ステップＳ１０−５）、設定されている記録サイズを表示部４０に送って液晶表示画面に表示させると共に静止画撮影後の静止画撮影残量と動画撮影残量を表示させる。本ステップにおける撮影残量表示グラフ４３表示動作の詳細を図９に示す（ステップＳ１０−６）
【００８１】
次に、静止画撮影終了ボタン３５が押されたか否かを調べ、静止画撮影終了ボタン３５が押された場合は動画・録画開始／停止ボタン３３のロックを解除して図６のステップＳ８に戻り、そうでない場合はステップＳ１０−１に戻る（ステップＳ１０−７）。
【００８２】
図９は静止画像撮影後の撮影残量グラフ表示動作例を示すフローチャートであり、図８のステップＳ１０−６の詳細な動作に相当する。  
ＣＰＵ２０−１は図６のステップＳ３またはステップＳ６（つまり、図７のステップＴ１）でワークメモリ２０−４に保持した静止画用空きメモリ容量Ｚ１を基に静止画撮影後の静止画用空きメモリ容量z1を算出する。静止画撮影後の静止画用空きメモリ容量z1は静止画の記録サイズをＧ１とするとき、z1＝Ｚ１−Ｇ１として算出できる（ステップＳ１０−６−１）。
【００８３】
ＣＰＵ２０−１は、静止画像撮影後の静止画用空きメモリ容量z１の静止画と動画の空きメモリ容量の和zに占める比率Ｒz１および動画用空きメモリ容量z２の静止画と動画の空きメモリ容量の和zに占める比率Ｒz２を算出する。比率Ｒz１、Ｒz２は、Ｒz１＝z１／z＝z１／（z１＋Ｚ２）、Ｒz２＝Ｚ２／z＝Ｚ２／（z１＋Ｚ２）として算出できる（ステップＳ１０−６−２）。
【００８４】
次に、ＣＰＵ２０−１は、上記ステップＳ１０−６−２で算出した比率Ｒz１、Ｒz２を基に静止画撮影残量表示領域４４の幅ｗ１と動画撮影残量表示領域４５の幅ｗ２を算出する。幅ｗ１とｗ２は撮影残量表示グラフ４３（図４）の幅をＷとすると、ｗ１＝Ｗ×Ｒz１、ｗ２＝Ｗ×Ｒz２として算出できる（ステップＳ１０−６−３）。
【００８５】
ＣＰＵ２０−１は、図６のステップＳ１で設定された記録サイズの初期値（ステップＳ３の動作の場合）若しくはステップＳ５で選択・設定された記録サイズ（ステップＳ６の動作の場合）と、上記ステップＳ１０−６−３で算出した静止画撮影残量表示領域４４の幅ｗ１と動画撮影残量表示領域４５の幅ｗ２の値を表示制御部４１を介して表示部４０に送り、記録サイズと、幅ｗ１の静止画撮影残量表示領域４４および幅ｗ２の動画撮影残量表示領域４５からなる横バー形状の撮影残量表示グラフ４３（図４）を表示させる。なお、この際、静止画撮影残量表示領域４４と動画撮影残量表示領域４５の表示色は互いに異なるようにする。本ステップにより、撮影残量表示グラフ４３の仕切４６は静止画を１枚記録する毎に左方に移動することとなる（ステップＳ１０−６−４）。
【００８６】
次に、ＣＰＵ２０−１は、図８のステップＳ１０−５で更新した枚数カウンタＱＣの値を表示制御部４１を介して表示部４０に送り、液晶表示画面に表示されている静止画撮影可能枚数ＰＱと置き換えて表示させる。なお、本ステップは省略してもよい（ステップＳ１０−６−５）。
【００８７】
上記図８および図９のフローチャートに示した動作により、デジタルムービーカメラ１００は静止画の撮影時に静止画残量と動画撮影残量の比率に応じて表示領域をリアルタイムに更新してグラフ表示することができる。また、静止画撮影残量表示領域と動画撮影残量表示領域に対応付けて静止画撮影可能枚数と動画撮影可能時間（秒）をリアルタイムに表示できる。
【００８８】
図１０は、図６のステップＳ１１の動画撮影動作および撮影残量表示動作を示すフローチャートである。  
図６のステップＳ９で、動画・録画開始／停止ボタン３３が押されると、ＣＰＵ２０−１は撮像部１１、動画映像処理部１３、およびストリーミング部１７を経由して取り込まれた動画データをワークメモリ２０−４（図３参照）に取り込んで順次記憶する共に、動画像データを表示部４０に送り記録サイズおよび撮影残量表示グラフと共に表示させる（ステップＳ１１−１）。
【００８９】
ＣＰＵ２０−１は動画残り時カウンタＭＣの値が０以上か否かを調べ、０以上の場合はステップＳ１１−４に進み、そうでない場合はステップＳ１１−３に進む（ステップＳ１１−２）。
【００９０】
ＣＰＵ２０−１は、動画残り時間カウンタＭＣ≦０の場合は動画撮影を禁止する旨のメッセージ（例えば、「動画記録用のメモリが一杯です。動画は撮影できません」）を表示部４０に送って液晶表示画面に表示させ、図６のステップＳ８に戻る（ステップＳ１１−３）。
【００９１】
ＣＰＵ２０−１は、動画残り時間カウンタＭＣ＞０の場合は撮像部１１、取り込まれた１コマ分の静止画データをワークメモリ２０−４に取り込み、ストリーミング部１７、表示制御部４１を介して表示部４０にスルー表示させると共に（ステップＳ１１−４）、動画映像処理部１３で圧縮を施させ、ストリーミング部１７、画像記憶部１９を介して記憶媒体５０の動画記録領域５３に記録させる。また、この際、管理領域５１に格納されている管理ファイル（図示せず）に記録されている動画記録済み領域５３−１のメモリ容量を更新する（ステップＳ１１−５）。
【００９２】
また、ＣＰＵ２０−１は、１秒ごとに、動画残り時間カウンタＭＣの内容から１を差し引く（ステップＳ１１−６）。
【００９３】
ＣＰＵ２０−１は設定されている記録サイズを表示部４０に送って液晶表示画面に表示させると共に動画撮影時の静止画撮影残量と動画撮影残量を表示させる。本ステップにおける撮影残量表示グラフ４３表示動作の詳細を図１１に示す（ステップＳ１１−７）。
【００９４】
ＣＰＵ２０−１は、動画・録画開始／停止ボタン３３が押されたか否かを調べ、動画・録画／停止ボタン３３が押された場合は図８のステップＳ８に戻り、そうでない場合はステップＳ１１−１に戻る（ステップＳ１１−８）。
【００９５】
図１１は動画撮影時の撮影残量グラフ表示動作例を示すフローチャートであり、図１０のステップＳ１１−７の詳細な動作に相当する。  
ＣＰＵ２０−１は、図６のステップＳ６（つまり、図７のステップＴ１）でワークメモリ２０−４に保持した動画用空きメモリ容量Ｚ２を基に動画撮影時に１秒毎に動画用空きメモリ容量z２を算出する。１秒毎の動画用空きメモリ容量z２は記録サイズをＧ２、１秒間あたりの撮影コマ数をＫとするとき、z２＝Ｚ２／Ｇ２×Ｋとして算出できる。なお、１秒毎でなく、１動画像毎に動画用空きメモリ容量z２を算出するようにしてもよい。この場合はz２＝Ｚ２／Ｇ２となる（ステップＳ１１−７−１）。
【００９６】
ＣＰＵ２０−１は、静止画用空きメモリ容量z１と静止画と動画の空きメモリ容量の和zに占める比率Ｒz１および１秒毎の動画の動画用空きメモリ容量z２の静止画と動画の空きメモリ容量の和zに占める比率Ｒz２を算出する。比率Ｒz１、Ｒz２は、Ｒz１＝Ｚ１／z＝Ｚ１／（Ｚ１＋ｚ１）、Ｒz２＝z２／z＝z２／（Ｚ１＋z２）として算出できる。なお、１秒毎でなく、１動画像毎に動画用空きメモリ容量z２の静止画と動画の空きメモリ容量の和zに占める比率Ｒz２を算出するようにしてもよい（ステップＳ１１−７−２）。
【００９７】
次に、ＣＰＵ２０−１は、上記ステップＳ１１−７−２で算出した比率Ｒz１、Ｒz２を基に静止画撮影残量表示領域４４の幅ｗ１と動画撮影残量表示領域４５の幅ｗ２を算出する。幅ｗ１とｗ２は撮影残量表示グラフ４３（図４）の幅をＷとすると、ｗ１＝Ｗ×Ｒz１、ｗ２＝Ｗ×Ｒz２として算出できる（ステップＳ１１−７−３）。
【００９８】
ＣＰＵ２０−１は、図６のステップＳ１で設定された記録サイズの初期値（ステップＳ３の動作の場合）若しくはステップＳ５で選択・設定された記録サイズ（ステップＳ６の動作の場合）と、上記ステップＳ１０−６−３で算出した静止画撮影残量表示領域４４の幅ｗ１と動画撮影残量表示領域４５の幅ｗ２の値を表示制御部４１を介して表示部４０に送り、記録サイズを液晶表示画面に表示させると共に幅ｗ１の静止画撮影残量表示領域４４と幅ｗ２の動画撮影残量表示領域４５からなる横バー形状の撮影残量表示グラフ４３（図４）を表示させる。なお、この際、静止画撮影残量表示領域４４と動画撮影残量表示領域４５の表示色は互いに異なるようにする。本ステップにより、撮影残量表示グラフ４３の仕切４６は動画撮影１秒毎に右方に移動する（ステップＳ１１−７−４）。
【００９９】
次に、ＣＰＵ２０−１は、図１０のステップＳ１１−５で更新した時間カウンタＭＣの値を表示制御部４１を介して表示部４０に送り、液晶表示画面に表示されている動画撮影可能時間ＰＭと置き換えて表示させる。なお、本ステップは省略してもよい（ステップＳ１１−７−５）。
【０１００】
上記図１０および図１１のフローチャートに示した動作により、デジタルムービーカメラ１００は動画の撮影時に静止画撮影残量と動画撮影残量の比率に応じて表示領域をリアルタイムに更新してグラフ表示することができる。また、静止画撮影残量表示領域と動画撮影残量表示領域に対応付けて静止画撮影可能枚数と動画撮影可能時間（秒）をリアルタイムに表示できる。
【０１０１】
＜変形例１＞  
上記実施形態１では、撮影時に残量表示グラフの静止画撮影残量表示領域４４と動画撮影残量表示領域の仕切（境界）４６を設定された記録サイズ若しくは撮影時の静止画の撮影枚数または動画の撮影時間に応じて自動的に変化するようにしたが、ユーザがカーソル操作等により残量表示グラフの仕切４６を動かして静止画撮影残量表示領域４４と動画撮影残量を変化させ、静止画撮影可能枚数または動画撮影可能時間を設定できるように構成することもできる。
【０１０２】
図１２は変形例１に係わる記録媒体の撮影容量表示方法の説明図であり、図１２（ａ）は撮影開始前の撮影残量表示グラフ４３を示す。図示の例では静止画撮影残量表示領域４４と動画撮影残量表示領域４５の比率を等しくし、静止画撮影可能枚数１００枚、動画撮影可能時間１００秒として表示されている。図１２（ｂ）はカーソル操作により仕切４６を右に移動させて静止画撮影残量表示領域４４＞動画撮影残量表示領域４５とした例であり、静止画撮影可能枚数１５０枚、動画撮影可能時間５０秒とした例である。仕切４６は、例えば、カーソル４７の右カーソル（図４で「＞」と表示されている）をクリックすると右方に移動して静止画撮影残量表示領域４４を拡大し、動画撮影残量表示領域４５をその分縮小させることができる。また、カーソル４７の左カーソル（図４で「＜」と表示されている）をクリックすると左方に移動して動画撮影残量表示領域４５を拡大し、静止画撮影残量表示領域４４をその分縮小させることができる。
【０１０３】
図１３は変形例１における撮影モード時のデジタルムービーカメラ１００の動作例を示すフローチャートである。以下、図１〜図６、および図１２、図１３に基いて説明する。  
なお、図１３でステップＳ１〜Ｓ６およびステップＳ９以降の動作は図６のフローチャートに示した動作と同様であり、変形例１の動作は図６のステップＳ７を下記ステップＳ７−１〜Ｓ７−７の動作で置き換えたものである。
【０１０４】
図１３において、図６のフローチャートのステップＳ４で記録サイズ選択メニューを表示しなかった場合（つまり、図６のステップＳ３で表示した記録サイズと撮影残量表示グラフが表示されている場合）若しくは図６のステップＳ６でユーザによって選択された記録サイズおよび記録サイズ選択後の撮影残量表示グラフが表示されている場合（図１２（ａ）参照）に、ユーザはカーソル操作により撮影残量表示グラフの静止画撮影残量表示領域４４と動画撮影残量表示領域４５の仕切４６を動かして、静止画撮影残量表示領域４４と動画撮影残量表示領域４５を設定し直すことができるので、ＣＰＵ２０−１は操作部３０からの信号を調べ、右カーソルまたは左カーソルが操作された場合はステップＳ７−２に進み、右カーソルまたは左カーソルが操作されていない場合はＳ７−６に進む（ステップＳ７−１）。
【０１０５】
ＣＰＵ２０−１は仕切４６の移動距離（右カーソルが操作された場合にはカーソルによる液晶表示画面上の右方向水平移動距離Ｘ（正数）、左カーソルが操作された場合はＣＰＵ２０−１はカーソルによる液晶表示画面上の左方向水平移動距離Ｘ（負数））を検出して左、右カーソル操作時の静止画撮影残量表示領域４４の幅ＮＷ１と動画撮影残量表示領域４５の幅ＮＷ２および仕切４６の位置を算出し、ステップＳ７−３に進む。静止画撮影残量表示領域４４の幅はＮＷ１＝Ｗ１＋Ｘ１として算出でき、動画撮影残量表示領域４５の幅はＮＷ２＝Ｗ２−Ｘ１として算出できる。また、仕切４６の位置Ｐは仕切４６の現在位置p＋Ｘ１＝として算出できる。なお、静止画撮影残量表示領域４４と動画撮影残量表示領域４５の表示色を変える場合は仕切４６は表示しなくてもよいので仕切４６の位置は算出しなくてもよい（ステップＳ７−２）。
【０１０６】
次に、ＣＰＵ２０−１は静止画撮影残量表示領域４４の幅ＮＷ１および動画撮影残量表示領域４５の幅ＮＷ２を基に静止画用空きメモリ容量ＺＱと静止画と動画の空きメモリ容量の和Ｚに占める比率ＲＺＱおよび動画用空きメモリ容量ＺＭの静止画と動画の空きメモリ容量の和Ｚに占める比率ＲＺＭを算出し、更に、比率ＲＺＱおよび比率ＲＺＭを基に変更後の静止画撮影可能枚数ＰＱと動画撮影可能時間ＰＭを算出する。ここで、静止画および動画用の空き領域の和をＺ、撮影残量表示グラフの幅をＷ、静止画用の空きメモリ容量をＺ１、静止画記録サイズをＧ１とすると、ＲＺＱ＝Ｚ１／Ｚ＝Ｗ１／Ｗであるから、Ｚ１＝（Ｗ１×Ｚ）／Ｗとなり、静止画撮影可能枚数ＰＱ＝Ｚ１／Ｇ１＝（Ｗ１×Ｚ）／（Ｗ×Ｇ１）として算出できる。また、動画用の空きメモリ容量をＺ２、記録サイズをＧ２、１秒間あたりの撮影コマ数をＫとすると、ＲＺＭ＝Ｚ２／Ｚ＝Ｗ２／Ｗであるから、Ｚ２＝（Ｗ２×Ｚ）／Ｗとなり、動画撮影可能時間ＰＭ＝Ｚ２／（Ｇ２×Ｋ）＝（Ｗ２×Ｚ）／（Ｗ×Ｇ２×Ｋ）として算出できる（ステップＳ７−３）。
【０１０７】
ＣＰＵ２０−１は、上記ステップＳ７−２で算出した静止画撮影残量表示領域４４の幅ＮＷ１、動画撮影残量表示領域４５の幅ＮＷ２、および仕切４６の位置Ｐの値を表示制御部１９を介して表示部に送り、液晶表示画面上の撮影残量表示グラフ４３に静止画撮影残量表示領域４４、動画撮影残量表示領域４５、および仕切４６の表示を更新させる。なお、静止画撮影残量表示領域４４と動画撮影残量表示領域４５の表示色を変える場合は仕切４６は表示しなくてもよい（ステップＳ７−４）。
【０１０８】
ＣＰＵ２０−１は、上記ステップＳ７−３で算出した変更後の静止画撮影可能枚数ＰＱと動画撮影可能時間ＰＭの値を表示制御部１９を介して表示部に送り、液晶表示画面上の静止画撮影可能枚数と動画撮影可能時間を更新表示させ（ステップＳ７−５）、静止画撮影残量（枚数）ＰＱを静止画残り枚数カウンタＱＣに、動画撮影残量（時間（秒））ＰＭを動画残り時間カウンタＭＣに代入し、図６のステップＳ８に進む（ステップＳ７−６）。
【０１０９】
上記図１３のフローチャートに示した動作により、ユーザは撮影開始前にグラフ表示されている静止画撮影残量と動画撮影残量の比率に応じて表示領域の大きさを変更できる。また、静止画撮影残量と動画撮影残量の表示領域の変化に応じて静止画撮影可能枚数と動画撮影可能時間を変更することができる。  
また、変形例１の場合に、図６のフローチャートのステップＳ９（または図８のステップＳ１０−２、Ｓ１０−７および図１０のステップＳ１１−３、Ｓ１１−８）の戻り先をステップＳ７とすることにより、ユーザは撮影状態（スルー表示）でグラフ表示されている静止画撮影残量と動画撮影残量の比率に応じて表示領域の大きさを変更し、静止画撮影可能枚数と動画撮影可能時間を変更することができる。
【０１１０】
＜変形例２＞  
上記変形例１ではユーザはカーソル操作により残量表示グラフの仕切４６を自由に移動させて残量表示グラフ４３の静止画撮影残量表示領域４４と動画撮影残量表示領域４５の比率を変化させることにより、静止画撮影可能枚数または動画撮影可能時間を自由に変更するようにしたが、カーソル操作による仕切４６の移動範囲を制限して静止画撮影残量と動画撮影残量を固定し、静止画および動画をそれ以上記録できないようにしてもよい。以下、図１４、図１５に基づいて説明する。
【０１１１】
図１４は変形例２に係わる記録媒体の撮影容量表示方法の説明図であり、図１４（ａ）は右カーソル操作により仕切４６を右に移動させたときの撮影画像表示グラフ４３の表示状態を示し、静止画撮影可能枚数の最大値（１５０枚）まで右カーソル操作した例である。この例では、静止画撮影可能枚数を増やしたので動画撮影可能時間は５０秒に短縮されている。図１４（ｂ）は静止画撮影可能枚数が１５０枚を限度とし、動画撮影可能枚数が５０秒までであることを示す表示が静止画撮影残量表示領域４４と動画撮影残量表示領域に対応付けて表示した例である。また、図１４（ｂ）で仕切４６の表示色を撮影画像表示グラフ４３の他の部分とは異なる表示色で示すようにして、これ以上仕切４６を右方には移動できないことを示すようにしてもよい。左カーソル操作で左方に移動する場合も同様である。
【０１１２】
図１５は変形例２における撮影モード時のデジタルムービーカメラ１００の動作例を示すフローチャートである。以下、図１〜図６、および図１３〜図１５に基いて説明する。  
なお、図１５でステップＳ１〜Ｓ６およびステップＳ８以降の動作は図６のフローチャートに示した動作と同様であり、ステップＳ７−１、Ｓ７−２、およびＳ７−４以降の動作は図１３のフローチャートに示した動作と同様であり、図示の動作は図１３のステップＳ７−３を下記ステップＳ７−３−１〜Ｓ７−３−９の動作で置き換えたものである。  
なお、図示しないがＣＰＵ２０−１は図６のステップＳ１の初期設定時に静止画撮影限度枚数ＬＰＱと動画撮影限度枚数ＬＰＭを設定するものとする。
【０１１３】
ＣＰＵ２０−１は図１３のフローチャートのステップＳ７−２で算出した静止画撮影残量表示領域４４の幅ＮＷ１および動画撮影残量表示領域４５の幅ＮＷ２を基に静止画撮影可能枚数ＰＱと動画撮影可能時間ＰＭを算出し（ステップＳ７−３−１）、算出した静止画撮影可能枚数ＰＱが限度値ＬＰＱ以下か否かを調べ、限度値ＬＰＱ以下の場合はステップＳ７−３−３に進み、限度値を越えた場合はステップＳ７−３−６に進む（ステップ７−３−２）。
【０１１４】
上記ステップＳ７−３−１で算出した静止画撮影可能枚数ＰＱが限度値を越えた場合は、ＣＰＵ２０−１は静止画撮影可能限度枚数ＬＰＱを基に静止画用空きメモリ容量ＺＱと静止画と動画の空きメモリ容量の和Ｚに占める比率ＲＺＱを算出し、更に、静止画撮影残量表示領域４４の幅ＬＷ１および動画撮影残量表示領域４５の幅ＬＷ２と動画撮影限度枚数ＬＷ２を算出する。ここで、静止画および動画用の空き領域の和をＺ、撮影残量表示グラフの幅をＷ、静止画記録サイズをＧ１とすると、静止画撮影限度枚数ＬＰＱ＝ＺＱ／Ｇ１＝（ＬＷ１×Ｚ）／（Ｗ×Ｇ１）であるから、ＬＷ１＝（ＬＰＱ×Ｗ×Ｇ１）／Ｚ、ＬＷ２＝Ｗ−ＬＷ１として算出できる。また、仕切４６の位置＝ＬＷ１と看做すことができる。更に、動画用空きメモリ容量をＺＭ、記録サイズをＧ２、１秒間あたりの撮影コマ数をＫとすると、ＲＺＭ＝ＺＭ／Ｚ＝ＬＷ２／Ｗであるから、ＺＭ＝（ＬＷ２×Ｚ）／Ｗとなり、動画撮影限度時間ＬＰＭ＝ＺＱ／Ｇ２×Ｋ＝（ＬＷ２×Ｚ）／（Ｗ×Ｇ２×Ｋ）として算出できる（Ｓ７−３−３）。
【０１１５】
ＣＰＵ２０−１は、上記ステップＳ７−３−３で算出した静止画撮影残量表示領域４４の幅ＬＷ１、動画撮影残量表示領域４５の幅ＬＷ２、および仕切４６の位置Ｐの値を表示制御部１９を介して表示部に送り、液晶表示画面上の撮影残量表示グラフ４３に静止画撮影残量表示領域４４、動画撮影残量表示領域４５、および仕切４６の表示を更新させる。また、この際、仕切４６を差別可能に表示（例えば、強調表示）するようにしてもよい。なお、静止画撮影残量表示領域４４と動画撮影残量表示領域４５の表示色を変える場合は仕切４６は表示しなくてもよい（ステップＳ７−３−４）。
【０１１６】
ＣＰＵ２０−１は、上記ステップＳ７−３−４で算出した静止画撮影限度枚数ＬＰＱと動画撮影限度時間ＬＰＭの値を表示制御部１９を介して表示部に送り、液晶表示画面上の静止画撮影可能枚数と動画撮影可能時間と置き換えてこれらが限度値であることを意味するメッセージと共に更新表示させ（図１４（ｂ）参照）、図１３のステップＳ７−６に進む（ステップＳ７−３−５）。
【０１１７】
上記ステップＳ７−３−１で算出した動画撮影可能枚数ＰＭが限度値ＬＰＭ以下か否かを調べ、限度値ＬＰＭ以下の場合はステップＳ７−３−７に進み、限度値ＬＰＭを超えた場合は図１３のステップＳ７−４に進む（ステップ７−３−６）。
【０１１８】
上記ステップＳ７―３−６で算出した動画撮影可能枚数ＰＭが限度値ＬＰＭを越えた場合は、ＣＰＵ２０−１は動画撮影可能限度時間ＬＰＭを基に動画用空きメモリ容量ＺＭと静止画と動画の空きメモリ容量の和Ｚに占める比率ＲＺＭを算出し、更に、静止画撮影残量表示領域４４の幅ＬＷ１および動画撮影残量表示領域４５の幅ＬＷ２と動画撮影限度枚数ＬＷ２を算出し、ステップＳ７−３−４に進む。ここで、静止画および動画用の空き領域の和をＺ、撮影残量表示グラフの幅をＷ、記録サイズをＧ２、１秒間あたりの撮影コマ数をＫとするとＲＺＭ＝Ｚ２／Ｚ＝ＬＷ２／Ｗであるから、Ｚ２＝（ＬＷ２×Ｚ）／Ｗとなり、動画撮影限度時間ＬＰＭ＝Ｚ２／Ｇ２×Ｋ＝（ＬＷ２×Ｚ）／（Ｗ×Ｇ２×Ｋ）、ＬＷ１＝Ｗ−ＬＷ２として算出できる。また、仕切４６の位置＝ＬＷ１と看做すことができる。更に、静止画用の空きメモリ容量をＺＱ、静止画の記録サイズをＧ１とすると、静止画撮影限度枚数ＬＰＱ＝ＺＱ／Ｇ１＝（ＬＷ１×Ｚ）／（Ｗ×Ｇ１）であるから、ＬＷ１＝（ＬＰＱ×Ｗ×Ｇ１）／Ｚとして算出できる（Ｓ７−３−７）。
【０１１９】
上記図１５のフローチャートに示した動作により、ユーザはグラフ表示されている静止画撮影残量と動画撮影残量の比率を限度値内でのみ変更できる。これにより、静止画撮影可能枚数または動画撮影可能時間の最大値が固定されるので、静止画は所定枚数まで（図１４の例で１５０枚まで）撮影でき、動画は所定時間まで（図１４の例では５０秒）撮影することができる。また、変形例１の場合（静止画撮影残量と動画撮影残量の比率を可変とした場合）もユーザはグラフ表示されている静止画撮影残量と動画撮影残量の比率を限度値内でのみ変更できる。
【０１２０】
なお、上記説明では静止画撮影可能枚数または動画撮影可能時間の限度値を図６のステップＳ１で初期値として自動設定するものとしたが、図６のステップＳ１とＳ２、若しくはステップＳ６とＳ７の間に、ユーザが静止画撮影可能枚数または動画撮影可能時間の限度値を選択・設定できるステップを設けるようにしてもよい。
【０１２１】
（実施形態２）  
上記実施形態１および変形例１、２では撮影開始時および撮影時に撮影残量全体に対する静止画撮影残量と動画撮影残量の比率に応じて表示領域を按分してグラフ表示するようにし、静止画撮影可能枚数と動画撮影可能時間を対応付けて表示したが、本発明は再生時にも適用できる。
【０１２２】
図１６は再生時に液晶表示画面に表示される撮影量表示グラフの一実施例を示す図であり、画像残表示グラフ６３には前回までの撮影で撮影媒体５０に記録された静止画および動画によって用いられた静止画撮影量と動画撮影量の比率に応じた大きさの静止画撮影量表示領域６４および動画撮影量表示領域６５として表示され、これらに対応付けて静止画記録済み枚数（図示の例では１４６枚）および動画記録済み時間（図示の例では２３秒）が表示される。
【０１２３】
図１７は実施形態２における再生モード時のデジタルムービーカメラ１００の動作例を示すフローチャートである。以下に示す処理は基本的に制御部２０が予めフラッシュメモリ等のプログラム格納メモリに記憶したプログラムに従って実行する例で説明するが、全ての機能をプログラムメモリに格納する必要はなく、必要に応じて、その一部若しくは全部をネットワークを介して受信して実現するようにしてもよい。以下、図１〜図３、図５、および図１６、図１７に基いて説明する。  
【０１２４】
図１７で再生モードが選択されると、ＣＰＵ２０−１は再生モード用の各初期値を設定すると共に（ステップＵ１）、記録媒体５０の管理領域５１を調べ、静止画記録済み領域５２−１のメモリ容量Ｘ１、動画記録済み領域５３−１のメモリ容量Ｘ２、記録済み静止画枚数（＝静止画ファイル数）ＤＱ、を取得してワークメモリ２０−４に保持（一時記憶）する（ステップＵ２）。
【０１２５】
次に、ＣＰＵ２０−１は、静止画記録済み領域５２−１のメモリ容量Ｘ１の静止画記録済み領域５２−１のメモリ容量と動画記録済み領域５３−１のメモリ容量の和Ｘ１＋Ｘ２に占める比率ＲＸ１および動画記録済み領域５２−１のメモリ容量Ｘ２の静止画記録済み領域５２−１のメモリ容量と動画記録済み領域５３−１のメモリ容量の和Ｘ１＋Ｘ２に占める比率ＲＸ２を基に静止画撮影量表示領域６４の幅Ｗ１と動画撮影量表示領域６５の幅Ｗ２を算出する。幅Ｗ１とＷ２は撮影量表示グラフ６３（図１６）の幅をＷとすると、Ｗ１＝Ｗ×ＲＸ１、Ｗ２＝Ｗ×ＲＸ２として算出できる。比率ＲＸ１、ＲＸ２は、ＲＸ１＝Ｘ１／（Ｘ１＋Ｘ２）、ＲＸ２＝Ｘ２／（Ｘ１＋Ｘ２）として算出できる（ステップＵ３）。
【０１２６】
次に、ＣＰＵ２０−１は、上記ステップＵ２で保持した、動画記録済み領域５３−１のメモリ容量Ｘ２から動画記録済み時間ＴＭを算出する。動画記録済み時間ＴＭは記録サイズをＧ２、１秒間あたりの撮影コマ数をＫとするとＴＭ＝＝Ｘ１／Ｇ２×Ｋとして算出できる（ステップＵ４）。
【０１２７】
ＣＰＵ２０−１は、上記ステップＵ３で算出した静止画撮影量表示領域６４の幅Ｗ１と動画撮影量表示領域６５の幅Ｗ２の値を表示制御部４１を介して表示部４０に送り、幅Ｗ１の静止画撮影量表示領域６４と幅Ｗ２の動画撮影量表示領域４５からなる横バー形状の撮影量表示グラフ６３を表示させる。なお、この際、静止画撮残量表示領域６４と動画撮影量表示領域６５の表示色は互いに異なるようにする（ステップＵ５）。
【０１２８】
ＣＰＵ２０−１は上記ステップＵ１で保持した静止画記録済み枚数ＤＱと上記ステップＵ６で算出した動画記録済み時間（秒）ＴＭを表示制御部４１を介して表示部４０に送り、液晶表示画面に表示されている静止画撮影量表示領域６４と動画撮影量表示領域６５に対応付けて文字（数字）表示させ（ステップＵ６）、画像再生処理を実行する（ステップＵ７）。
なお、上記ステップＵ６で、静止画記録済み枚数ＤＱと動画記録済み時間（秒）ＴＭは図１６に示したようにそれぞれ静止画撮影残量表示領域４４と動画撮影残量表示領域４５の枠外に表示してもよいが、枠内に表示するようにしてもよい。
【０１２９】
上記図１７のフローチャートに示した動作により、デジタルムービーカメラ１００は再生時に静止画撮影量と動画撮影量の比率をグラフ表示するので静止画と動画の撮影済み量の比率を容易に把握できる。また、静止画撮影量表示領域と動画撮影量表示領域に対応付けて静止画記録済み枚数と動画記録済み時間（秒）を表示できるので、静止画および動画をどのくらい記録したかが一目でわかる。
【０１３０】
＜変形例３＞  
上記実施形態１では撮影時に静止画と動画の撮影残量をグラフ表示し、実施形態２では再生時に静止画と動画の撮影量をグラフ表示するようにしたが、図１８に示すように撮影時および／または再生時に静止画と動画の撮影残量と撮影量を同時にバーグラフ表示するようにしてもよい。
【０１３１】
図１８は撮影時および／または再生時に表示する静止画と動画の撮影残量と撮影量の表示グラフ（以下、撮影残量／撮影量表示グラフ）の一実施例を示す図であり、撮影残量／撮影量表示グラフ７０の静止画撮影残量表示領域４４と動画撮影残量表示領域４５を同一バー上に同じ表示色で表示し、静止画撮影量表示領域６４と動画撮影量表示領域６５を同一バー上に同じ表示色で表示した例であり、静止画残り枚数（記録可能枚数）と動画残り時間（記録可能時間）が静止画撮影残量表示領域４４と動画撮影残量表示領域４５に対応付けられて表示され、静止画記録済み枚数と動画記録枚数が静止画撮影量表示領域６４と動画撮影量表示領域６５に対応付けられて表示されている。
【０１３２】
上記各実施形態や変形例では、静止画撮影から動画撮影への切り替え、動画撮影から静止画撮影への切り替えをボタン操作で直ちにできるようにしたが、これに限定されない。例えば、モード切り替え操作により静止画撮影から動画撮影への切り替え、動画撮影から静止画撮影への切り替えを行うようにしてもよい。また、動画撮影・録画開始／停止ボタン３３の半押しで動画撮影を開始し、全押しで動画を記録するようにしたが、デジタルムービーカメラ１００に動画撮影終了ボタンを設け、動画撮影・録画開始／停止ボタン３３の全押しで動画撮影を開始し、動画撮影終了ボタンの全押しで動画を記録するようにしてもよい。また、撮影残量表グラフおよび撮影量表示グラフを横バー表示したが、グラフ表示は横バー表示に限定されない。
【０１３３】
以上、本発明のいくつかの実施例について説明したが本発明は上記各実施例に限定されるものではなく、種々の変形実施が可能であることはいうまでもない。例えば撮像装置という用語は、デジタルカメラやカメラ付き携帯電話機のほか、撮像部を有する情報機器やビデオカメラなどにも適用し得るものである。また、画像だけでなく音声（例えば、ＭＰ３プレーヤなどの録音時間と撮影枚数）にも適用できる。
【図面の簡単な説明】
【０１３４】
【図１】本発明の撮像装置の一実施例としてのデジタルムービーカメラの外観を示す斜視図である。
【図２】デジタルムービーカメラの概念的な機能ブロック図である。
【図３】制御部の構成例を示すブロック図である。
【図４】記録媒体の撮影容量表示方法の一実施例を示す図である。
【図５】記録媒体の領域使用状態の説明図である。
【図６】撮影モード時のデジタルムービーカメラの動作例を示すフローチャートである。
【図７】図６における撮影残量表示グラフの表示動作例を示すフローチャートである。
【図８】図６の静止画撮影動作および撮影残量表示動作の詳細を示すフローチャートである。
【図９】図６の静止画像撮影後の撮影残量グラフ表示動作例を示すフローチャートである。
【図１０】図６の動画撮影動作および撮影残量表示動作を示すフローチャートである。
【図１１】動画撮影時の撮影残量グラフ表示動作例を示すフローチャートである。
【図１２】変形例１に係わる記録媒体の撮影容量表示方法の説明図である。
【図１３】変形例１における撮影モード時のデジタルムービーカメラの動作例を示すフローチャートである。
【図１４】変形例２に係わる記録媒体の撮影容量表示方法の説明図である。
【図１５】変形例２における撮影モード時のデジタルムービーカメラの動作例を示すフローチャートである。
【図１６】再生時に液晶表示画面に表示される撮影残量表示グラフの一実施例を示す図である。
【図１７】再生モード時のデジタルムービーカメラの動作例を示すフローチャートである。
【図１８】撮影時および／または再生時に表示する撮影残量／撮影量の表示グラフの一実施例を示す図である。
【符号の説明】
【０１３５】
２０  制御部
４０  表示部
４１  表示制御部
５０  記録媒体
１００  デジタルムービーカメラ
【図１】
0004770544.tif 000002
【図２】
0004770544.tif 000003
【図３】
0004770544.tif 000004
【図４】
0004770544.tif 000005
【図５】
0004770544.tif 000006
【図６】
0004770544.tif 000007
【図７】
0004770544.tif 000008
【図８】
0004770544.tif 000009
【図９】
0004770544.tif 000010
【図１０】
0004770544.tif 000011
【図１１】
0004770544.tif 000012
【図１２】
0004770544.tif 000013
【図１３】
0004770544.tif 000014
【図１４】
0004770544.tif 000015
【図１５】
0004770544.tif 000016
【図１６】
0004770544.tif 000017
【図１７】
0004770544.tif 000018
【図１８】
0004770544.tif 000019